(57)【要約】【課題】プラスチック製品を細断できるシュレッダーを提供する【解決手段】カッターブロック５は、外周面に回転刃先１４ａ１が形成され、回転軸７と共に回転するように設けられた回転刃１４ａと、外周面に固定刃先１５ａ３が形成され、細断部本体４の内周面４ａに固定されて回転しない固定刃１５ａとが交互に配列するように構成されている。また、固定刃１５ａ，１５ａ間であって、回転刃１４ａの外周面と接するように、スペーサー１６ａが内周面４ａに固定されている。さらに、カッターブロック６も、カッターブロック５と同様に、外周面に回転刃先１４ｂ１が形成された回転刃１４ｂと外周面に固定刃先１５ｂ３が形成された固定刃１５ｂとが交互に配列するように構成され、固定刃１５ｂ，１５ｂ間であって、回転刃１４ｂの外周面と接するように、スペーサー１６ｂが内周面４ａに固定されている。【選択図】図２
0003119639.tif 000002
【実用新案登録請求の範囲】
【請求項１】
第１のカッターブロック及び第２のカッターブロックが並列に近接するように設けられた細断部を有し、該細断部によって被細断材を細断するシュレッダーであって、
前記第１のカッターブロックは、第１の回転刃及び第１の固定刃が交互に配列するように構成され、
前記第２のカッターブロックは、第２の回転刃及び第２の固定刃が交互に配列するように構成され、
前記第１の回転刃は、外周面上に少なくとも１つの第１の回転刃先を有するディスク状カッターであって、前記第１のカッターブロック中に回転可能に設けられ、
前記第１の固定刃は、外周面上に少なくとも１つの第１の固定刃先を有するディスク状カッターであって、前記第１のカッターブロック中に回転しないように設けられ、
前記第２の回転刃は、外周面上に少なくとも１つの第２の回転刃先を有するディスク状カッターであって、前記第２のカッターブロック中に回転可能に設けられ、
前記第２の固定刃は、外周面上に少なくとも１つの第２の固定刃先を有するディスク状カッターであって、前記第２のカッターブロック中に回転しないように設けられ、
前記第１の回転刃及び前記第２の回転刃が回転する際に、前記第１の回転刃先の少なくとも一部が、前記第１の回転刃と隣り合う前記第１の固定刃に設けられた前記第１の固定刃先の少なくとも一部と隣接すると共に、前記第１の回転刃先の少なくとも一部と前記第２の回転刃先の少なくとも一部とが隣接するシュレッダー。
【請求項２】
前記第１の固定刃の外周面には、
前記第２の回転刃が回転する際に、前記第２の回転刃先の外周面が接するように移動する第１の凹状湾曲部が設けられ、
前記第２の回転刃先の外周面には、
該第２の回転刃先の外周面と前記第１の凹状湾曲部との間に入り込んだ前記被細断材を切断する切断部が形成された請求項１に記載のシュレッダー。
【請求項３】
前記細断部を複数備える請求項１または２に記載のシュレッダー。
【考案の詳細な説明】
【技術分野】
【０００１】
この考案は、シュレッダーに関する。
【背景技術】
【０００２】
特開平１１−１６９７３７号公報に記載されるように、従来のシュレッダーは、縦方向に細断する細断部と横方向に細断する細断部との２箇所で廃棄用紙の細断を行っている。縦方向に細断する細断部は、複数のディスク状のカッターからなる一対のカッターブロックを組み合わせて構成されており、それぞれのカッターブロックが回転することによって廃棄用紙を細断する。
【考案の開示】
【考案が解決しようとする課題】
【０００３】
しかしながら、従来のシュレッダーでは紙は細断できるものの、プラスチック製の紙や不織布等は細断できなかった。特に、ポリプロピレン（ＰＰ）製の不織布で作られたフィルタは、細断して溶融させ再生が行われるが、このフィルタを細断できるシュレッダーが望まれている。
【０００４】
この考案は、このような問題点を解決するためになされたもので、プラスチック製品を細断できるシュレッダーを提供することを目的とする。
【課題を解決するための手段】
【０００５】
この考案に係るシュレッダーは、第１のカッターブロック及び第２のカッターブロックが並列に近接するように設けられた細断部を有し、細断部によって被細断材を細断するシュレッダーであって、第１のカッターブロックは、第１の回転刃及び第１の固定刃が交互に配列するように構成され、第２のカッターブロックは、第２の回転刃及び第２の固定刃が交互に配列するように構成され、第１の回転刃は、外周面上に少なくとも１つの第１の回転刃先を有するディスク状カッターであって、第１のカッターブロック中に回転可能に設けられ、第１の固定刃は、外周面上に少なくとも１つの第１の固定刃先を有するディスク状カッターであって、第１のカッターブロック中に回転しないように設けられ、第２の回転刃は、外周面上に少なくとも１つの第２の回転刃先を有するディスク状カッターであって、第２のカッターブロック中に回転可能に設けられ、第２の固定刃は、外周面上に少なくとも１つの第２の固定刃先を有するディスク状カッターであって、第２のカッターブロック中に回転しないように設けられ、第１の回転刃及び第２の回転刃が回転する際に、第１の回転刃先の少なくとも一部が、第１の回転刃と隣り合う第１の固定刃に設けられた第１の固定刃先の少なくとも一部と隣接すると共に、第１の回転刃先の少なくとも一部と第２の回転刃先の少なくとも一部とが隣接する。
第１の固定刃の外周面には、第２の回転刃が回転する際に、第２の回転刃先の外周面が接するように移動する第１の凹状湾曲部が設けられ、第２の回転刃先の外周面には、第２の回転刃先の外周面と第１の凹状湾曲部との間に入り込んだ被細断材を切断する切断部が形成されていてもよい。
細断部を複数備えてもよい。
【考案の効果】
【０００６】
この考案によれば、第１の回転刃及び第２の回転刃による細断と共に、第１の回転刃及び第２の固定刃と、第２の回転刃及び第１の固定刃との細断によって、被細断材が細断されるので、プラスチック製品を細断することができる。
【考案を実施するための最良の形態】
【０００７】
以下、この考案の実施の形態を添付図面に基づいて説明する。
図１に示されるように、この考案の実施の形態に係るシュレッダー１は、紙やプラスチック等の被細断材を細断する細断部２と、細断部２を駆動するモータ３とを備えている。細断部２は、上面が開放した細断部本体４と、細断部本体４の内部に設けられたカッターブロック５及びカッターブロック６とを備えている。ここで、カッターブロック５及びカッターブロック６はそれぞれ、第１のカッターブロック及び第２のカッターブロックを構成する。カッターブロック５及びカッターブロック６はそれぞれ、回転軸７及び８を有しており、回転軸７及び８は細断部本体４の対向する側面４ｂ，４ｂを貫通するように、回転可能に設けられている。さらに、回転軸７及び８の一方の端部には、細断部本体４の外部に位置するように、ギヤ９及び１０が設けられている。また、ギヤ９及び１０が設けられた側面４ｂには、スプロケット１２を備えたギヤ１１が回転可能に設けられている。ギヤ９及び１０、ギヤ９及び１１はそれぞれ噛み合っている。モータ３には、モータ３の回転軸３ｂに連結し、回転軸３ｂと共に回転するスプロケット３ａが設けられている。スプロケット３ａ及びスプロケット１２には、チェーン１３が掛けられている。
【０００８】
図２に示されるように、カッターブロック５は、回転軸７（図１参照）と共に回転するように設けられた回転刃１４ａと、細断部本体４の内周面４ａに固定され回転しない固定刃１５ａとが交互に配列するように構成されている。また、固定刃１５ａ，１５ａ間であって、回転刃１４ａの外周面と接するように、スペーサー１６ａが内周面４ａに固定されている。ここで、回転刃１４ａは第１の回転刃を構成し、固定刃１５ａは第１の固定刃を構成する。また、カッターブロック６も、カッターブロック５と同様に、回転刃１４ｂと固定刃１５ｂとが交互に配列するように構成され、固定刃１５ｂ，１５ｂ間であって、回転刃１４ｂの外周面と接するように、スペーサー１６ｂが内周面４ａに固定されている。ここで、回転刃１４ｂは第２の回転刃を構成し、固定刃１５ｂは第２の固定刃を構成する。
【０００９】
次に、各刃の形状について説明する。
図３（ａ）に示されるように、回転刃１４ａはディスク状カッターであって、外周面に６個の回転刃先１４ａ１が、回転刃１４ａの周方向に等間隔で形成されている。回転刃先１４ａ１は、その外周面１４ａ２から回転刃１４ａの本体１４ａ４に向かって内側にえぐられた形状となっている。すなわち、回転刃先１４ａ１は、本体１４ａ４付近でくびれた形状となっている。本体１４ａ４の中央部分には、回転軸７（図１参照）が挿入され、回転刃１４ａを回転軸７にキー嵌合するための穴１４ａ３が形成されている。回転刃１４ａは回転軸７に固定され、回転軸７が回転することによって、回転刃１４ａも回転するようになっている。また、回転刃先１４ａ１の外周面１４ａ２のそれぞれには、図３（ｂ）に示されるように、鋭利な頂部１４ａ５を有し、回転刃１４ａの周方向に沿って延びる複数の隆起部１４ａ４が形成されている。尚、回転刃１４ｂについても同様の形状となっている。ここで、回転刃先１４ａ１，１４ｂ１はそれぞれ第１の回転刃先及び第２の回転刃先を構成し、隆起部１４ａ４，１４ｂ４は切断部を構成する。
【００１０】
図４に示されるように、固定刃１５ａは、カッターブロック５を構成する部分であるディスク状のカッター部１５ａ１と、細断部本体４の内周面４ａに固定するための部分である板状の固定部１５ａ２とを備えている。カッター部１５ａ１には、回転軸７（図１参照）が挿入される穴１５ａ８が形成されている。固定刃１５ａは回転軸７には固定されず、回転軸７が回転しても固定刃１５ａは回転しないようになっている。カッター部１５ａ１の外周面であって、穴１５ａ８に対して固定部１５ａ２と反対側には、凹状湾曲部１５ａ５が形成されている。凹状湾曲部１５ａ５の両端部分には、１５ａ３，１５ａ４が形成されている。また、固定部１５ａ２の外周には、細断部本体４の内周面４ａに接する垂直面１５ａ６が設けられ、垂直面１５ａ６には、内周面４ａに形成された図示しない取付穴に挿入されることによって、固定刃１５ａを内周面４ａに固定するための取付部１５ａ７が形成されている。尚、固定刃１５ｂについては、固定刃１５ａと同様の形状を有している。ここで、固定刃先１５ａ３，１５ａ４は第１の固定刃先を構成し、固定刃先１５ｂ３，１５ｂ４は第２の固定刃先を構成し、凹状湾曲部１５ａ５，１５ｂ５はそれぞれ、第１の凹状湾曲部及び第２の凹状湾曲部を構成する。
【００１１】
図５に示されるように、スペーサー１６ａは、凹状湾曲部１６ａ１と、細断部本体４の内周面４ａに接する垂直面１６ａ２と、内周面４ａに形成された図示しない穴に挿入されることによって、スペーサー１６ａを内周面４ａに固定するための取付部１６ａ３を備えている。尚、スペーサー１６ｂについても、スペーサー１６ａと同様の形状を有している。
【００１２】
次に、この考案に係るシュレッダーの動作について説明する。
図１に示されるように、モータ３が起動すると、モータ３の回転軸３ｂの回転によって、スプロケット３ａが回転する。スプロケット３ａの回転がチェーン１３を介してスプロケット１２に伝わり、スプロケット１２が回転することによってギヤ１１が回転する。ギヤ１１が回転すると、ギヤ９及び１０が回転し、これにより回転軸７及び８が回転する。回転軸７及び８が回転することにより、カッターブロック５，６が回転し、細断部２が起動される。細断部本体４内に紙やプラスチック等の被細断材が投入されると、カッターブロック５，６によって細断されて細かな細断屑となって、細断部本体４内のカッターブロック５，６の下方に溜まる。
【００１３】
次に、カッターブロック５，６が回転する際の、回転刃１４ａ，１４ｂ及び固定刃１５ａ，１５ｂの動作について説明する。
図６には、カッターブロック５を構成する回転刃１４ａとカッターブロック６を構成する回転刃１４ｂとのうち、互いの側面が接する関係にあるものの動作を示した図である。図６（ａ）に示されるように、回転刃１１ａが矢印Ａの方向に回転すると共に回転刃１１ｂが矢印Ｂの方向に回転すると、それぞれの外周面に形成された回転刃先１１ａ１及び１１ｂ１は互いに近づき、回転刃先１１ａ１及び１１ｂ１間に形成された空間２０は徐々に小さくなる。やがて、図６（ｂ）に示されるように、回転刃先１１ａ１及び１１ｂ１はそれぞれの一部が隣接し、図６（ｃ）に示されるように、ほぼ全部分が隣接した状態を経て再び離れていく。ここで、図６（ａ）の空間２０内に被細断材が入り込むと、図６（ａ）から図６（ｂ）の状態に至る間に、被細断材は回転刃先１１ａ１及び１１ｂ１によって切断され始め、図６（ｃ）の状態を経て、回転刃先１１ａ１及び１１ｂ１が再び離れ始めるまでの間に、被細断材は切断される。
【００１４】
また、図７は、カッターブロック５を構成する隣り合う回転刃１４ａ及び固定刃１５ａの動作を示した図である。矢印Ｃで示される方向に回転刃１４ａが回転すると、固定刃先１５ａ３に回転刃先１４ａ１が近づき、図７（ａ）に示されるように、固定刃先１５ａ３及び回転刃先１４ａ１はそれぞれの一部が隣接する。図７（ａ）の状態に至る際に、被細断材は固定刃先１５ａ３及び回転刃先１４ａ１によって切断され始める。回転刃先１４ａ１の矢印Ｃ方向への回転がさらに進むと、図７（ｂ）に示されるように、回転刃先１４ａ１は固定刃先１５ａ３をほぼ通り過ぎた位置に至る。図７（ａ）から図７（ｂ）の状態に至るまでの間に、被細断材は切断される。さらに回転刃先１４ａ１の矢印Ｃ方向への回転が進むと、図７（ｃ）に示されるように、回転刃先１４ａ１は固定刃先１５ａ４に近づく。回転刃先１４ａ１及び固定刃先１５ａ４間の空間２１内に入り込んだ被細断材は、回転刃先１４ａ１及び固定刃先１５ａ４のそれぞれが隣接する際に、細断される。
尚、図示しないが、カッターブロック６を構成する隣り合う回転刃１４ｂ及び固定刃１５ｂの動作も同様である。
【００１５】
また、図８に示されるように、回転刃１４ｂは、矢印Ｄに示されるように、回転刃先１４ｂ１の外周面１４ｂ２が凹状湾曲部１５ａ５に接するように回転する。回転刃先１４ｂ１の外周面には、鋭利な頂部１４ｂ５（図３参照）を有する隆起部１４ｂ４（図３参照）が形成されているため、回転刃先１４ｂ１の外周面と凹状湾曲部１５ａ５との間に入り込んだ被細断材は、隆起部１４ｂ４によって切断される。
尚、図示しないが、回転刃１４ａ及び固定刃１５ｂの動作も同様である。
【００１６】
このように、被細断材は、回転刃１４ａ，１４ｂ同士の細断と共に、回転刃１４ａ及び固定刃１５ａと、回転刃１４ｂ及び固定刃１５ｂとの細断によって細断されるので、従来のシュレッダーでは細断できなかったプラスチック製の紙や不織布等を細断することができる。
また、回転刃先１４ｂ１の外周面１４ｂ２には、回転刃１４ｂの周方向に延びると共に鋭利な頂部１４ｂ５を有する隆起部１４ｂ４が形成されているので、隆起部１４ｂ４と凹状湾曲部１５ａ５とによって、被細断材をさらに切断することができる。尚、回転刃１４ａと固定刃１４ｂとの関係においても同じである。
【００１７】
次に、この考案に係るシュレッダー１を使用して、ＰＰ製の紙を含む材料で製造された市販の紙おむつを細断した結果を図９に示す。図９において、細断前の紙おむつが右側であるのに対し、細断後は、左側に示されるような細断屑となっており、ＰＰ製の紙を含む材料で製造された紙おむつが細断されている。したがって、本考案に係るシュレッダー１を使用することにより、従来のシュレッダーでは細断できないものを細断することができる。
【００１８】
この実施の形態では、回転刃１４ａ，１４ｂに６個の回転刃先を形成したが、６個に限定するものではない。回転刃の大きさ、被細断材の材質等によって、任意の数の回転刃先を形成することができる。
また、この実施の形態では、回転刃先１４ａ１，１４ｂ１の外周面１４ａ２，１４ｂ２のそれぞれに形成された切断部として、鋭利な頂部１４ａ５，１４ｂ５を有すると共に回転刃１４ａ，１４ｂの周方向に沿って延びる複数の隆起部１４ａ４，１４ｂ５としたが、この形態に限定するものではない。被細断部を切断することのできる形状であれば、どのような形状であってもよい。さらに、外周面１４ａ２，１４ｂ２のそれぞれに切断部を形成せずに、どちらか一方に切断部を形成してもよい。
また、この実施の形態では、固定刃１５ａ，１５ｂに２個の固定刃先（固定刃１５ａにおいては固定刃先１５ａ３，１５ａ４）が形成されているが、この形態に限定するものではない。例えば固定刃１５ａにおいて、固定刃先１５ａ３のみの１個が形成されていてもよいし、３つ以上の固定刃先が形成されていてもよい。
さらに、この実施の形態では、細断部本体４の上面が開放した形状となっているが、これに限定するものではない。細断部本体４の上に、被細断材を収納すると共に細断部本体４内へ被細断材を投入する、公知のホッパー等を取り付けてもよい。
【００１９】
この実施の形態では、細断部２が１つだけであるが、１つに限定するものではない。２つ以上の細断部を直列または並列に設けてもよい。図１０には、この実施の形態の変形例の１つとして、２つの細断部を直列に設けたシュレッダー３０の側面図を示す。シュレッダー３０は、シュレッダー１に対して、細断部本体４の上部に同じ構造の細断部３１が設けられている。モータ３の回転軸３ｂには、スプロケット３ａの他に同形状のスプロケット３ｃが設けられており、スプロケット３ｃ及び細断部３１に設けられたスプロケット３２には、チェーン３３が掛けられている。これにより、モータ３が回転すると、チェーン３３を介してスプロケット３２が回転し、スプロケット３２の回転がギヤ３４、ギヤ３５及びギヤ３６に順次伝達され、回転軸３７，３８が回転されて、細断部３１が作動する。尚、細断部２の作動については、実施の形態で説明した動作と同じである。このように、細断部を複数設けることにより、被細断材をさらに完全に細断することができる。
【図面の簡単な説明】
【００２０】
【図１】この考案の実施の形態に係るシュレッダーの斜視図である。
【図２】この実施の形態に係るシュレッダーの細断部の内部の斜視図である。
【図３】この実施の形態に係るシュレッダーの回転刃の形状を表す平面図及び側面図である。
【図４】この実施の形態に係るシュレッダーの固定刃の形状を表す平面図である。
【図５】この実施の形態に係るシュレッダーのスペーサーの形状を表す平面図である。
【図６】この実施の形態に係るシュレッダーにおける、回転刃同士の動作を説明するための図である。
【図７】この実施の形態に係るシュレッダーにおける、回転刃及び固定刃の動作を説明するための図である。
【図８】この実施の形態に係るシュレッダーにおける、回転刃及び固定刃の動作を説明するための図である。
【図９】この実施の形態に係るシュレッダーを使用して市販の紙おむつを細断した結果を示す写真である。
【図１０】この考案に係るシュレッダーの変形例を示す側面図である。
【符号の説明】
【００２１】
１，３０  シュレッダー、２，３１  細断部、５  カッターブロック（第１のカッターブロック）、６  カッターブロック（第２のカッターブロック）、１４ａ，１４ｂ  回転刃、１４ａ１，１４ｂ１  回転刃先、１４ａ４，１４ａ５  隆起部（切断部）、１５ａ，１５ｂ  固定刃、１５ａ３，１５ａ４，１５ｂ３  固定刃先、１５ａ５  凹状湾曲部（第１の凹状湾曲部）、１５ｂ５  凹状湾曲部（第２の凹状湾曲部）。
【図１】
0003119639.tif 000003
【図２】
0003119639.tif 000004
【図３】
0003119639.tif 000005
【図４】
0003119639.tif 000006
【図５】
0003119639.tif 000007
【図６】
0003119639.tif 000008
【図７】
0003119639.tif 000009
【図８】
0003119639.tif 000010
【図９】
0003119639.tif 000011
【図１０】
0003119639.tif 000012